(57)【特許請求の範囲】
【請求項１】
枠体を備えている物品における該枠体の、外側側面および内側側面を有するコーナーに設けられるコーナー用の緩衝体であって、
前記枠体の前記コーナーが挿入される開口部と、
前記コーナーの上面を覆う第１主板部と、
前記コーナーの下面を覆う第２主板部と、
前記コーナーの前記外側側面を覆う側板部と、
前記第１主板部に設けられた切り込み部と折り曲げ部とで囲まれた、前記コーナーの前記内側側面に当接可能な第１係止片と、
前記側板部から延設された、前記第１主板部の上側の一部に重ねる上片部と、
該上片部から延設された、前記切り込み部に差し込まれた状態で前記第１係止片を固定する第２係止片とを備えているコーナー用の緩衝体。
【請求項２】
前記第１主板部および前記第２主板部の少なくとも一方に運搬用の孔が設けられている請求項１に記載のコーナー用の緩衝体。
【請求項３】
前記物品が太陽電池モジュールである請求項１または２に記載のコーナー用の緩衝体。
【発明の詳細な説明】
【技術分野】
【０００１】
本発明は、板状本体の周囲に枠体を設けた太陽電池モジュール等の額縁状物品のコーナー用の緩衝体に関する。
【背景技術】
【０００２】
平面形状が矩形の板状部材などの製品または半製品は、保管または輸送する場合に損傷しやすいコーナー部などに緩衝体を取り付けて梱包する方法が広く行なわれている。特に、板状本体の周縁部に枠体を設けた太陽電池モジュール等の額縁状物品においては、枠体と緩衝体とを係合させて、コーナー部に外嵌した緩衝体の抜け止めを図っている。
【０００３】
例えば、下記の特許文献１に関示されているコーナー用の緩衝体が知られている。この緩衝体は、額縁状物品のコーナー部に外嵌するポケット部の前端から係合フラップを延設させた構造を有しており、緩衝体を装着すると同時に係合フラップが内コーナー部（板状本体と枠体との段差部における隅部分）に係合して抜け止めされる。
【先行技術文献】
【特許文献】
【０００４】
【特許文献１】実用新案登録第３１５５０９７号公報
【発明の概要】
【発明が解決しようとする課題】
【０００５】
しかしながら、従来の緩衝体は、ポケット部の前端から延設させた係合フラップを内コーナー部に引っ掛ける構造の場合、緩衝体を引っ張るにつれて係合フラップを押し上げる方向に力が働き、ポケット部を構成する主板が開く方向に変形して緩衝体が容易にずれるなど、固定が緩い場合が考えられる。
【０００６】
この場合、荷役時に誤って緩衝体を持って額縁状物品を動かそうとして取り落としたり、段積みした額縁状物品を下に擦りながら持ち上げようとして緩衝体が外れたりする等が考えられる。そして、これらを抑制するために、額縁状物品と緩衝体とを完全に固定する目的で結束帯を用いて縛る等の対策を講じる必要がある。
【０００７】
また、係合フラップを内コーナー部に引っ掛ける構造であるため、緩衝体を引き抜く方向に動かした場合、誤って係合フラップの先端が保護すべき板状本体に食い込む動きをしたり、強く擦れる動きをする場合等が考えられるので、精密部品および破損しやすい材質の物品には適さない。
【０００８】
そこで、本発明の一つの目的は、太陽電池モジュール等の額縁状物品を梱包等する場合において、作業性が良好であり、かつ、単純な構造で堅固な抜け止め効果を有する優れたコーナー用の緩衝体を提供することにある。
【課題を解決するための手段】
【０００９】
本発明に係るコーナー用の緩衝体は、枠体を備えている物品における該枠体の、外側側面および内側側面を有するコーナーに設けられるコーナー用の緩衝体であって、前記枠体の前記コーナーが挿入される開口部と、前記コーナーの上面を覆う第１主板部と、前記コーナーの下面を覆う第２主板部と、前記コーナーの前記外側側面を覆う側板部と、前記第１主板部に設けられた切り込み部と折り曲げ部とで囲まれた、前記コーナーの前記内側側面に当接可能な第１係止片と、前記側板部から延設された、前記第１主板部の上側の一部に重ねる上片部と、該上片部から延設された、前記切り込み部に差し込まれた状態で前記第１係止片を固定する第２係止片とを備えている。
【発明の効果】
【００１０】
上記コーナー用の緩衝体によれば、薄板状体を折り込んで緩衝体を構成する場合には、その折り込み回数が少なく作業性が良好であり、かつ、単純な構造で堅固な抜け止め効果を期待することができる。
【図面の簡単な説明】
【００１１】
【図１】本発明に係るコーナー用の緩衝体の一実施形態を示す斜視図である。
【図２】図１に示した緩衝体を額縁状物品のコーナー部に装着した状態を示す斜視図である。
【図３】緩衝体の組立前の状態を示すブランクシートである。
【図４】（ａ）は図２においてＡ−Ａ線で切断して断面視した際の緩衝体の係止片の様子を示す一部断面図であり、（ｂ）は図２においてＢ−Ｂ線で切断して断面視した際の緩衝体の係止片の様子を示す一部断面図である。
【発明を実施するための形態】
【００１２】
以下に、本発明に係るコーナー用の緩衝体の実施形態例について図面を参照しながら説明する。
【００１３】
図１に示すように、緩衝体１は、後記する枠体を備えている額縁状物品の該枠体のコーナー部を包囲するのに適用できる。また、緩衝体１は、例えば段ボール、板紙、プラスチック段ボールまたは発泡プラスチックスのシートなどを適宜選択して使用することができる。
【００１４】
また、緩衝体１は、トムソン金型等による型抜き加工等によって作製した１枚の板状体を折り込んで組み立てられるものとすると簡便でよい。
【００１５】
さらに、緩衝体１は、特に太陽電池モジュール等のように、積上げ作業および運搬作業を多く要するような額縁状物品に対して好適に使用可能である。
【００１６】
図２に示すように、額縁状物品Ｐは、板状本体Ｐ１の周縁部に枠体Ｐ２を設けたものであり、板状本体Ｐ１の周囲に枠体Ｐ２（例えば、図示のように少なくとも第１枠部材Ｐ２ａと、この端部に取り付けられている第２枠部材Ｐ２ｂとで構成されている）を備えている。また、この枠体Ｐ２が板状本体Ｐ１から突出した構造をしている。ただし、枠体Ｐ２は板状本体Ｐ１の片面だけでなく、両面に突出する構造をも含むものとする。
【００１７】
具体的な額縁状物品Ｐとしては、上述したように、例えば枠体Ｐ２として板状体Ｐ１である太陽電池パネルの周縁部に設けたフレームを備えた太陽電池モジュールまたは額縁等が挙げられる。
【００１８】
図１および図２に示すように、緩衝体１は、枠体Ｐ２を備えている物品において、この枠体Ｐ２の、外側側面Ｐ３ａおよび内側側面Ｐ３ｂを有するコーナー部Ｐ３に設けられる。また、緩衝体１は、枠体Ｐ２のコーナー部Ｐ３を挿入する開口部１ａと、コーナー部Ｐ３の上面を覆う第１主板部１ｂと、コーナーＰ３の下面を覆う第２主板部１ｃと、コーナー部Ｐ３の外側側面Ｐ３ａを覆う側板部（第１側板部１ｄ，第２側板部１ｅ）とを備えている。
【００１９】
さらに、緩衝体１は、第１主板部１ｂおよび第２主板部１ｃの少なくとも一方に第１貫通孔１ｆが設けられており、一部（例えば後記する第１係止片１ｇ，第２係止片１ｈの一
部）が第１貫通孔１ｆ内に位置して他の一部（例えば後記する第１係止片１ｇ，第２係止片１ｈの一部）がコーナー部Ｐ３の内側側面Ｐ３ｂに当接可能な１以上の係止片（例えば後記する第１係止片１ｇ，第２係止片１ｈ）が配置されている。
【００２０】
また、緩衝体１は、少なくとも２つの第１係止片１ｇ，第２係止片１ｈの一部（これら係止片の表側）が、例えば略矩形の第１貫通孔１ｆ内の少なくとも異なる２辺に位置している。
【００２１】
また、後記するように、図１および図２にはあらわれていないが、第１主板部１ｂおよび第２主板部１ｃの少なくとも一方に、運搬用の第２貫通孔１ｎが設けられているとよい。
【００２２】
図３に図１および図２に示した緩衝体１のブランクシートを示す。なお、図３において、図示した実線部分が切り込み部であり、図示した破線部分が折り曲げ部である。
【００２３】
ブランクシートを紙面の上側に破線部分で折り曲げて組み立てた場合、例えば、額縁状物品Ｐを平面視した際の左上および右下のコーナー部を包囲する緩衝体１とすることができる。
【００２４】
一方、このブランクシートを紙面の下側に破線部分で折り曲げて組み立てた場合、例えば額縁状物品Ｐを平面視した際の右上および左下のコーナー部を包囲する緩衝体１とすることができる。
【００２５】
緩衝体１を額縁状物品Ｐのコーナー部Ｐ３に装着するには、まず、ブランクシートの状態で第２主板部１ｃを額縁状物品Ｐのコーナー部Ｐ３の下に敷く。その際、ブランクシートに、図３に示すような折り込み部２（第２貫通孔となる部分）を設けておくことが好ましい。
【００２６】
この折り込み部２を折り込んだ後に、第２主板部１ｃに形成される第２貫通孔１ｎに指または運搬用の部材等を入れるようにすれば、運搬等の作業性が向上するのでよい。
【００２７】
緩衝体１を額縁状物品Ｐのコーナー部の下に敷いた後、まず、第２主板部１ｃから延設された第１側板部１ｄおよび第１主板部１ｂを順次折り曲げる。
【００２８】
次に、第２主板部１ｃから延設された第２側板部１ｅ、および第１主板部１ｂの上に重ねる上片部１ｉをそれぞれ折り曲げて、上片部１ｉから延設された第２係止片１ｈを第１主板部１ｂの第１貫通孔１ｆを形成する切込み部１ｊに差し込んで装着が完了する。
【００２９】
図４（ａ）に示すように、第１係止片１ｇの裏側を枠部材Ｐ２ｂに当接させる。また、同時に、図４（ｂ）に示すように、第１係止片１ｇのコーナー部Ｐ３側の端面を枠部材Ｐ２ａにも当接させることによって、額縁状物品Ｐのコーナー部Ｐ３に外嵌した状態から緩衝体１が容易に外れないように堅固に保持されて装着される。
【００３０】
より詳細には、第１主板部１ｂの上側に重ねられる上片部１ｉには、第１係止片１ｇ，第３係止片１ｋを固定する第２係止片１ｈが延設されている。この第２係止片１ｈは、図４（ｂ）に示すように、第１係止片１ｇと第３係止片１ｋとの間に差し込んで、図示した矢印の方向に押し込むことで、これら両係止片を有する緩衝体１を額縁状物品Ｐに対して堅固に固定することができる。つまり、第１係止片１ｇ、第２係止片１ｈおよび第３係止片１ｋの表側は第１貫通孔１ｆ内に位置しており、第１係止片１ｇと第３係止片１ｋの表側は第２係止片１ｈの端面と当接しているので、これら係止片を有する緩衝体１を額縁状
物品Ｐに対して堅固に固定することができる。
【００３１】
第２係止片１ｈの裏側は枠部材Ｐ２ａと当接してもよい。また、第１貫通孔１ｆは第１係止片１ｇのみを裏側に折り曲げて、第１貫通孔１ｆが形成されてもよい。この場合、第２係止片１ｈは、第１係止片１ｇと第１貫通孔１ｆ側の第１主板部１ｂの側面との間に差し込まれることによって、第１係止片１ｇを堅固に固定することができる。
【００３２】
また、第２係止片１ｈを第１係止片１ｇと第３係止片１ｋとの間に差し込むことで、第１係止片１ｇの裏側は枠部材Ｐ２ｂによって密着して、枠部材Ｐ２ａには第１係止片１ｇのコーナー部Ｐ３側の端面だけでなく、第３係止片１ｈのコーナー部Ｐ３側の端面も当接させることができる。これにより、緩衝体１が額縁状物品Ｐから容易に外れないようにより堅固に保持されて装着される。
【００３３】
また、図３に示すように、第２係止片１ｈに連続した延設部にはミシン目１ｍ（一点鎖線）を設けて、そのミシン目１ｍの端部に切り欠き１ｐを設けるようにしてもよい。この場合、緩衝体１が不要になって、緩衝体１を額縁状物品Ｐから取り外す際には、第２係止片１ｈを引っ張るようにするとよい。これにより、緩衝体１における第１係止片１ｈ等の固定が容易に解かれて、緩衝体１を額縁状物品Ｐから簡便かつ容易に取り外すことができる。
【００３４】
以上のように、本実施形態の緩衝体１によれば、額縁状物品を梱包する場合、折り込み回数が少なくて、作業性が良く、しかも、単純な構造で枠部材で構成される枠体を同時に当接することによって、堅固な抜け止め効果を有する。一方で、緩衝体を取り外す際には、緩衝体の一部を切り離すだけで簡便容易に取り外すことができる。 
【符号の説明】
【００３５】
１    ：緩衝体
１ａ：開口部
１ｂ：第１主板部
１ｃ：第２主板部
１ｄ：第１側板部
１ｅ：第２側板部
１ｆ：第１貫通孔
１ｇ：第１係止片
１ｈ：第２係止片
１ｉ：上片部
１ｎ：第２貫通孔
Ｐ    ：額縁状物品
Ｐ１  ：板状本体
Ｐ２  ：枠体
Ｐ２ａ：第１枠部材
Ｐ２ｂ：第２枠部材
Ｐ３  ：コーナー部
【図１】
0005934060.tif 000002
【図２】
0005934060.tif 000003
【図３】
0005934060.tif 000004
【図４】
0005934060.tif 000005